(57)【要約】【課題】  この発明は、支持台に荷重がかかってもペットを安定して支持できるよう支柱に対して支持台をしっかりと取り付けることができ、また、支柱に対する支持台の着脱を容易に行うことができるペット遊戯装置の提供を目的とする。【解決手段】  設置面と天井との間で突張り状態で設置する支柱１１と、ペットが載上可能な支持台２１とを備えて構成したペット用遊戯装置１０であって、上記支柱１１の上下方向の所定部位に上記支持台２１を支持可能に形成した鍔状のフランジ部３１に対して上記支持台２１を取り外し可能に固定する固定手段３５を備え、上記支持台２１に上記支柱１１の挿通を許容する挿通許容部２３Ａ，２３Ｂを形成し、上記支持台２１に、上記支柱１１の太さに相当する幅Ｄを有して外周側から上記挿通許容部２３Ａまで切り欠いた切欠き溝２４Ａを形成し、上記切欠き溝２４Ａを隠蔽可能に該切欠き溝２４Ａに嵌め込む溝嵌め込み具４１を備えた。【選択図】図１
2011103797.tif 000002
【特許請求の範囲】
【請求項１】
設置面と天井との間で突張り状態で設置する支柱と、
ペットが載上可能な支持台と、
上記支柱の上下方向の所定部位に上記支持台を支持可能に形成した鍔状のフランジ部とを備えて構成したペット用遊戯装置であって、
上記フランジ部と上記支持台とを取り外し可能に固定する固定手段を備え、
上記支持台に上記支柱の挿通を許容する挿通許容部を形成し、
上記支持台に、上記支柱の太さに相当する幅を有して外周側から上記挿通許容部まで切り欠いた切欠き溝を形成し、
上記切欠き溝を隠蔽可能に該切欠き溝に嵌め込む溝嵌め込み具を備えた
ペット用遊戯装置。
【請求項２】
上記挿通許容部を上記支持台の重心位置よりも平面視側方へ偏移した位置に形成し、
上記切欠き溝を、上記支持台における上記挿通許容部と上記支持台の外周側との経路が最短となる最短経路部分に形成した
請求項１に記載のペット用遊戯装置。
【請求項３】
上記固定手段を締結手段で構成し、
上記支持台に締結手段の挿入を許容する差込み孔を形成し、
上記締結手段の挿入を許容するとともに上記差込み孔と連通可能な連通孔を、上記フランジ部の周方向において等分配部分に形成し、
上記溝嵌め込み具の下部に、上記連通孔へ差し込んで係合する係合突部を形成した
請求項１、又は、２に記載のペット用遊戯装置。
【請求項４】
上記支柱の下部に、設置面に設置される設置台を備え、
上記設置台を上記支柱に対して取り外し可能に構成し、
上記支柱を長手方向において分割可能に構成した
請求項１から３のいずれかに記載のペット用遊戯装置。
【請求項５】
天井に押し当てる天井押当て部材を備え、
上記支柱の上部に、上記天井押当て部材の高さ調節を可能とする第一高さ調節手段と第二高さ調節手段を備え、
上記第一高さ調節手段を、
上記支柱に対してスライド可能に構成した押上げ杆と、
該押上げ杆を上記支柱に固定する押上げ杆固定部材とで構成し、
上記第二高さ調節手段を、
上記押上げ杆の上部から突出した螺旋軸と、
該螺旋軸に螺動可能に係合するとともに、上記天井押当て部材を下側から押し当て可能な押当て部を上端部に備えた押上げ部材とで構成した
請求項１から４のいずれかに記載のペット用遊戯装置。
【発明の詳細な説明】
【技術分野】
【０００１】
この発明は、屋内の床と天井との間で突張り状態で設置され、ペットが上り下りして遊んだり、高い所で休憩することのできる猫科のペットに好適なペット遊戯装置に関する。
【背景技術】
【０００２】
ペットの中でも、例えば、猫は、野性的な習性が残っているため、紐に繋いだり狭小な空間に収容して飼育するとストレスが溜まりがちになり健康上好ましくない。しかし、屋外で放し飼いした場合、近隣の住民に迷惑がかかり、トラブルのもとになるため、室内で放し飼いすることが多い。
【０００３】
ところが、猫は、外敵から身を守るため、或いは、獲物を捕獲するために本能的に木などの高い所に登る習性を有しており、室内で放し飼いした場合、家具や部屋の壁を伝って上り下りすることにより、これら家具や部屋の壁に傷をつけてしまうという課題を有していた。
【０００４】
このような背景の下、室内に設置するだけで猫が遊戯できる環境を容易に構築することのできる遊戯装置が知られている。例えば、特許文献１において開示されている「室内用ペットの遊戯装置」もその１つである。
【０００５】
上記「室内用ペットの遊戯装置」は、床と天井の間に架設される支柱と、該支柱に取り付けられ、ペットが上下に伝わって移動したり留まることのできる複数のステップ部材とを備えている。
【０００６】
ステップ部材は、平面視一方向へ長いステップ部材本体と、該ステップ部材本体の長手方向の一端側に有する筒状の固定部とで構成している。
【０００７】
ステップ部材本体には、上記筒状の固定部の内部空間と上下方向に連通する貫通孔を形成し、支柱を差込可能に形成している。
【０００８】
ステップ部材は、ステップ部材の貫通孔に支柱を差し込み、その状態でボルトなどのストッパを固定部の側から支柱の側方に押し当てて固定する。ステップ部材は、支柱に対して片持ち支持状態で取り付けることができる。
【０００９】
しかし、ステップ部材は、このように支柱の側方にボルトの先端を押し当てることで支柱に対して取り付けた構成であるため、ペットが載ったときの荷重をしっかりと支持することができないおそれがある。
【００１０】
特に、ステップ部材は、支柱に対して片持ち支持状態で取り付けられるため、ステップ部材に猫が載ったとき、固定部には、曲げモーメントも加わり、上述したストッパのみでは、十分な強度を確保することは困難である。
【００１１】
さらにまた、ペット遊戯装置を収納する場合又は部屋に設置する場合や、支柱に対するステップ部材の取り付け個数を変更する場合において、ステップ部材の貫通孔に支柱をいちいち挿入したり、抜き出す必要があり、面倒である。
【先行技術文献】
【特許文献】
【００１２】
【特許文献１】特開２０００−２５３７７１号公報
【発明の概要】
【発明が解決しようとする課題】
【００１３】
そこでこの発明は、ペットが支持台を上り下りするなどして該支持台に荷重がかかってもペットを安定して支持できるよう支柱に対して支持台をしっかりと取り付けることができ、また、支柱に対する支持台の着脱を容易に行うことができるペット遊戯装置の提供を目的とする。
【課題を解決するための手段】
【００１４】
本発明は、設置面と天井との間で突張り状態で設置する支柱と、ペットが載上可能な支持台と、上記支柱の上下方向の所定部位に上記支持台を支持可能に形成した鍔状のフランジ部とを備えて構成したペット用遊戯装置であって、上記フランジ部と上記支持台とを取り外し可能に固定する固定手段を備え、上記支持台に上記支柱の挿通を許容する挿通許容部を形成し、上記支持台に、上記支柱の太さに相当する幅を有して外周側から上記挿通許容部まで切り欠いた切欠き溝を形成し、上記切欠き溝を隠蔽可能に該切欠き溝に嵌め込む溝嵌め込み具を備えたことを特徴とする。
【００１５】
上記構成により、支持台を、外側から切欠き溝を通じて支柱の取り付け部分に側方から差し込んで挿通許容部に支柱を配したり、或いは、挿通許容部から切欠き溝を通じて支柱を抜き出して支持台の外側へ配したりすることができる。
【００１６】
よって、例えば、支持台に、支柱に挿通可能な貫通孔を形成し、該貫通孔を通じて支持台を支柱に差し込んだり抜き出したりしなくても、支持台を、支柱に対して容易に着脱することができる。
【００１７】
支持台は、支柱を挿通許容部に配した状態で支柱に対して取り付けることができるが、この場合、支持台には、切欠き溝が露出した形態となり、そのままの状態では見栄えが悪く、ペットが支持台間を上り下りする際に怪我をするおそれもある。
【００１８】
このため、溝嵌め込み具を切欠き溝に嵌め込むことにより、上記切欠き溝を外側から隠蔽することができ、支持台を、支柱に取り付けた状態において優れた外観形状とすることができる。
【００１９】
支持台は、フランジ部に支持された状態で支柱に対して取り付けることができるため、支柱に対する支持台の取り付け方向を変える際には、フランジ部に支持された状態で、容易に向きを変えることができる。
【００２０】
さらにまた、支持台は、フランジ部に支持された状態で支柱に対してしっかりと取り付けることができるため、ペットが支持台間を伝って上り下りしても安定してペットを支持することができる。
【００２１】
この発明の態様として、上記挿通許容部を上記支持台の重心位置よりも平面視側方へ偏移した位置に形成し、上記切欠き溝を、上記支持台における上記挿通許容部と上記支持台の外周側との経路が最短となる最短経路部分に形成することができる。
【００２２】
上述したように、上記挿通許容部を上記支持台の重心位置よりも平面視側方へ偏移した位置に形成することにより、支持台は、支柱が邪魔になることのないペットが載上し易い広い面を確保することができる。
【００２３】
さらに、上記切欠き溝を、上記支持台における上記挿通許容部と上記支持台の外周側との経路が最短となる最短経路部分に形成することにより、上記切欠き溝の大きさ（長さ）を最小限に構成することができる。それに伴って切欠き溝に嵌め込む溝嵌め込み具の大きさ（長さ）を最小限にすることができ、切欠き溝に取り付けたときの溝嵌め込み具の外観形状を目立たなくすることができる。溝嵌め込み具自体をコンパクトにできるため、溝嵌め込み具単体での扱いが邪魔になることがない。
【００２４】
またこの発明の態様として、上記固定手段を締結ボルトで構成し、上記支持台に締結ボルトの挿入を許容する差込み孔を形成し、上記締結ボルトの挿入を許容するとともに上記差込み孔と連通可能な連通孔を、上記フランジ部の周方向において等分配部分に形成し、上記溝嵌め込み具の下部に、上記連通孔へ差し込んで係合する係合突部を形成することができる。
【００２５】
連通孔を、上記フランジ部の周方向において等分配部分に形成することにより、等分配して形成した連通孔のピッチに応じてフランジ部に対する支持台の取り付け方向を段階的に選択することができる。
【００２６】
溝嵌め込み具を切欠き溝に取り付ける際に、係合突部を連通孔に差し込んで該連通孔の周縁部に係合させた状態とすることができるため、強固に取り付けることができる。
【００２７】
さらに、係合突部を連通孔に差し込んで係合することにより、フランジ部の周方向における溝嵌め込み具の取り付け位置を位置決めすることができ、それに伴って、フランジ部の周方向に対する支持台の取り付け位置も位置決めすることができる。
【００２８】
これにより、連通孔と支持台に形成された締結ボルトの差込み孔とを互いに周方向において一致した状態で連通することができるため、締結ボルトで容易にフランジ部に対して支持台を取り付けることができる。
【００２９】
またこの発明の態様として、上記支柱の下部に、設置面に設置される設置台を備え、上記設置台を上記支柱に対して取り外し可能に構成し、上記支柱を長手方向において分割可能に構成することができる。
【００３０】
上記構成により、設置台は、設置面に設置可能に支柱に対して外側へ突出した形態となるが、該設置台を取り外すことにより、コンパクトな形態にすることができる。さらに、上記支柱は、その長手方向において分割可能に構成しているため、支柱の長さを短くすることができ、不使用時に邪魔にならずにコンパクトに収納することができる。
【００３１】
またこの発明の態様として、天井に押し当てる天井押当て部材を備え、上記支柱の上部に、上記天井押当て部材の高さ調節を可能とする第一高さ調節手段と第二高さ調節手段を備え、上記第一高さ調節手段を、上記支柱に対してスライド可能に構成した押上げ杆と、該押上げ杆を上記支柱に固定する押上げ杆固定部材とで構成し、上記第二高さ調節手段を、上記押上げ杆の上部から突出した螺旋軸と、該螺旋軸に螺動可能に係合するとともに、上記天井押当て部材を下側から押し当て可能な押当て部を上端部に備えた押上げ部材とで構成することができる。
【００３２】
上記押上げ杆固定部材は、例えば、ボルトなどで構成することができ、上記押上げ杆を固定できる手段であればよい。
【００３３】
本発明のペット遊戯装置は、上記第一高さ調節手段と、上記第二高さ調節手段とを備えているため、これらを用いて高さ調節を容易に行うことができる。
【００３４】
詳しくは、上記第一高さ調節手段を用いれば、例えば、高さ調節する距離（ストローク）が長い場合であっても、押上げ杆をスライドさせることにより一気に高さ調節を行なうことができる。
【００３５】
さらにその後で、上記第二高さ調節手段を用いれば、押当て部が上記天井押当て部材に押し当たった状態で螺旋軸に対して押上げ部材を螺動させて上記天井押当て部材を押し上げるなどすることで微妙な高さ調整を行うことができる。
【００３６】
以上により、ペット遊戯装置を、天井押当て部材を天井に押し当てて天井と接地面との間で突張った状態で、しっかりと設置することができる。
【００３７】
さらに、上記天井押当て部材は、第一高さ調節手段と第二高さ調節手段とは別部材で独立した部材で構成しているため、支柱の上端部に有する天井押当て部材を支柱に対して容易に分離して取り外すことができ、不使用時に収納する際に容易に分離してコンパクトな形態で収納することができる。
【発明の効果】
【００３８】
本発明では、ペットが棚間を上り下りしても安定してペットを支持できるよう支柱に対して棚をしっかりと取り付けることができ、また、支柱に対する棚の着脱を容易に行うことができるペット遊戯装置を提供することができる。
【図面の簡単な説明】
【００３９】
【図１】猫用遊戯装置の外観図。
【図２】猫用遊戯装置の正面図（ａ）、右側面図（ｂ）。
【図３】図２（ａ）のＡ−Ａ線矢視図（ｃ）、図２（ａ）のＢ−Ｂ線矢視図（ｄ）、猫用遊戯装置の底面図（ｅ）。
【図４】支柱に対する棚の取付け部分の構成説明図。
【図５】支持台の構成説明図。
【図６】溝嵌め込み具の構成説明図。
【図７】高さ調節部の構成説明図。
【図８】猫用遊戯装置の各部の構成説明図。
【図９】支柱に対する支持台の取り付け手順を示す説明図。
【図１０】溝嵌め込み具の作用説明図。
【図１１】他の実施例における猫用遊戯装置の外観図。
【図１２】他の実施例における猫用遊戯装置の正面図（ａ）、右側面図（ｂ）。
【図１３】図１２（ａ）のＡ−Ａ線矢視図（ｃ）、図１２（ａ）のＢ−Ｂ線矢視図（ｄ）、猫用遊戯装置の底面図（ｅ）。
【図１４】他の実施形態における支持台の平面図。
【発明を実施するための形態】
【００４０】
この発明の一実施形態を、以下図面を用いて説明する。  
本実施形態における猫用遊戯装置１０は、図１から図７に示すように構成している。  
なお、図１は、猫用遊戯装置１０の外観図であり、猫Ｃが遊戯したり休息している様子を示す。図２は、猫用遊戯装置１０の正面図（ａ）、右側面図（ｂ）である。図３は、図２（ａ）のＡ−Ａ線矢視図（ｃ）、図２（ａ）のＢ−Ｂ線矢視図（ｄ）、猫用遊戯装置１０の底面図（ｅ）である。図４は、支柱１１に対する棚２１Ａの取付け部分の構成説明図である。図５は、棚２１Ａの平面図（ａ１）、Ａ−Ａ線断面図（ａ２）、ハンモック型支持台２１Ｂの長手方向の断面図（ｂ）を示す。図６は、溝嵌め込み具４１の平面図（ａ）、右側面図（ｂ）、底面図（ｃ）、Ｂ−Ｂ線断面図（ｄ）、Ａ−Ａ線断面図（ｅ）を示す。図７は、高さ調節部６１の正面図である。
【００４１】
上記猫用遊戯装置１０は、床と天井との間で突張り状態で設置する支柱１１と、ペットを支持する支持台２１と、上記支柱１１の上下方向の後述する各部位に上記支持台２１を支持可能に形成した鍔状のフランジ部３１と、溝嵌め込み具４１を備えて構成している。
【００４２】
上記猫用遊戯装置１０は、上記支柱１１の上方に天井に押し当てる天井押当て部材５１を備え、該支柱１１と天井押当て部材５１との間に、天井押当て部材５１の高さを調節する高さ調節部６１を構成している。さらに、支柱１１の下端部には、下端部に床面に設置可能な円板状のベース板７１を鍔状に取り付けている。
【００４３】
上記支柱１１は、金属製の円柱パイプで構成し、該支柱１１の下端部において円板状のベース板７１を支柱固定ビス７２（図３（ｅ）参照）により一体に取り付けている。  
詳しくは、図２（ｂ）中の拡大断面図に示すように、支柱１１の下端部には、上方へ向けて穿孔された螺旋穴８１が形成され、ベース板７１の中心部分には、貫通孔８２が形成されている。支柱１１の下端部にベース板７１の中心部分が一致するよう配した状態で支柱固定ビス７２をベース板７１の底面側から貫通孔８２を通じて螺旋穴８１に螺合することにより、支柱１１に対してベース板７１を一体に取り付けている。
【００４４】
支柱１１は、軸方向の略中間部分において２分割可能に構成している。  
詳しくは、支柱１１は、図８に示すように、軸方向の上側に位置する上側分割柱体１１Ｕと、下側に位置する下側分割柱体１１Ｄとの２部材で構成し、下側分割柱体１１Ｄの上端部には、上方へ突出した螺旋軸１２を形成され、上側分割柱体１１Ｕの下端部には、上記螺旋軸１２と螺合可能な螺旋孔１３が形成されている。
【００４５】
上記支持台２１は、平面視円形状をした木製の棚２１Ａと、ハンモック型支持台２１Ｂとの２種類で構成している。なお、図１、及び、図２中、支柱１１に取り付けた支持台２１のうち、最上部に取り付けた支持台２１がハンモック型支持台２１Ｂであり、それ以外の支持台２１が棚２１Ａである。
【００４６】
上記棚２１Ａは、一方向がそれと直交する直交方向よりも僅かに長い平面視略正円をした楕円形状で形成している。棚２１Ａの表面には、ポリエステル生地で表面を柔軟な起毛状に形成した棚被覆カバー２２Ａにより被覆されている（図３参照）。上記棚２１Ａは、図５（ａ１），（ａ２）に示すように、その重心位置（中心位置）よりも長軸部分の一方の端部側へ偏移した位置、すなわち、長軸方向の一端側部分に支柱１１の挿通を許容する挿通許容孔２３Ａを形成し、さらに、棚２１Ａの外周側と上記挿通許容孔２３Ａまでの間には、上記支柱１１の太さに相当する幅を有して切り欠いた切欠き溝２４Ａを形成している。
【００４７】
上記切欠き溝２４Ａは、上記棚２１Ａにおける上記挿通許容孔２３Ａと上記棚２１Ａの外周側との経路が最短となる最短経路部分に形成している。
【００４８】
棚２１Ａの上記挿通許容孔２３Ａの外周側部分には、フランジ部３１に取り付けるための４つの螺旋穴２５Ａを挿通許容孔２３Ａの外周側に９０度のピッチで合計４つ形成している。
【００４９】
ハンモック型支持台２１Ｂは、図３（ｃ）、図５（ｂ）に示すように、ハンモック本体部２６とフランジ取付部２７とで構成している。  
ハンモック部本体部２６は、円環状の外周フレーム２８と、外周フレーム２８を含む全体を被覆可能にポリエステル生地で表面を柔軟な起毛状に形成した布２２Ｂとで構成している。
【００５０】
フランジ取付部２７は、ハンモック本体部２６の外周側の一部位から外側へ突出した突片状に形成し、支柱１１に対して取り付け可能に挿通許容孔２３Ｂ、及び、切欠き溝２４Ｂを、それぞれ棚２１Ａに形成した挿通許容孔２３Ａ、切欠き溝２４Ａと同様の構成で形成し、棚２１Ａの螺旋孔１３に相当する部位には、貫通孔２５Ｂを形成している。
【００５１】
フランジ部３１は、図３（ｄ）、図４に示すように、外周部分に対して中央部分が凹状である円板状に形成している。フランジ部３１の中央部分に有する凹状部３２には、支柱１１を挿通可能な挿通孔３４が形成されている。フランジ部３１の外周部分には、棚２１Ａに形成した螺旋穴２５Ａと挿通可能な連通孔３４を、周方向に８等分配するよう形成し、締結ボルト３５を差込み可能に形成している。すなわち、連通孔３４は周方向において４５度ピッチで合計８つ形成し、これら８つの連通孔３４のうち、４つの連通孔３４が棚２１Ａの螺旋穴２５Ａと連通可能に形成している。
【００５２】
フランジ部３１は、合計６つ備え、それぞれ支柱１１の軸方向において略７等分割する６つの各部分において一体に固着されている（図３（ｄ）参照）。
【００５３】
フランジ部３１は、挿通孔３３を通じて支柱１１に挿通された状態で、支柱１１に対する接触部分を一体に熱溶着されている。熱溶着部分Ｙは、凹状部３２に有するため、フランジ部３１に支持台２１を載置したとき、熱溶着部分Ｙは、フランジ部３１と支持台２１との内側に配され、これらフランジ部３１と支持台２１とに隠蔽されるため、外観上の見栄えを良好に保つことができる（図４参照）。
【００５４】
また、図２（ｂ）の一部拡大図、及び、図８に示すように、支柱１１には、支持台２１を支持するための上述したフランジ部３１とは別に、ベース板当接用フランジ部８５を溶着している。
【００５５】
詳しくは、ベース板当接用フランジ部８５は、支柱１１をベース板７１に取り付けたとき、ベース板７１の中央に形成された貫通孔８２の周縁部に当接可能に支柱１１の下部に溶着している。さらに、このベース板当接用フランジ部８５は、外周部分に挿通孔３４を形成していない以外は上述したフランジ部３１と同一形状であるが、フランジ部３１の取り付け形態に対して上下反転させた取り付け形態、すなわち、外周部分に対して中央部分が上方へ突出した取り付け形態で支柱１１に溶着している。
【００５６】
溝嵌め込み具４１は、切欠き溝２４Ａに嵌め込み可能に構成している。  
溝嵌め込み具４１は、図６に示すように、溝嵌込み具本体４２と、該溝嵌込み具本体４２の下面から上記連通孔３４へ差し込んで係合可能に突出した係合突部４３とで合成樹脂による一体成形により構成している。
【００５７】
溝嵌込み具本体４２は、上記切欠き溝２４Ａに嵌め込み可能に切欠き溝２４Ａの溝幅Ｄ（図５（ａ１）参照）に相当する幅ｄ（図６（ｄ）参照）を有した直方体形状で形成し、長手方向の一方の側は、支柱１１の外周面に当接可能に平面視円弧状に凹んだ支柱当接部４４を形成している。
【００５８】
溝嵌込み具本体４２の外壁面は、溝嵌込み具本体４２を切欠き溝２４Ａに嵌め込んだとき、棚２１Ａの外周面と同じ曲率の円弧状の外周面部４２ａと、棚２１Ａの上面と同じ平坦状の上面部４２ｂとで構成し、切欠き溝２４Ａに嵌め込んだとき、棚２１Ａの上面と外周面に対して略面一になるよう構成している。
【００５９】
上記天井押当て部材５１は、ポリアミド（Ｐ．Ａ樹脂）により形成し、下面中央部に後述する押当て部６７の押し当てを許容する凹状の押当て許容部５１ａを形成している。
【００６０】
高さ調節部６１は、図７に示すように、第一高さ調節部６１Ａと第二高さ調節部６１Ｂとで構成している。  
なお、図７は、高さ調節部６１の構成を一部断面で示した構成説明図である。
【００６１】
上記第一高さ調節部６１Ａは、上記天井押当て部材５１を下側から押し上げ可能に支柱１１に対して上下動する押上げ杆６２と、該押上げ杆６２を支柱１１に対して固定する押上げ杆調節固定ノブ６３とで構成している。
【００６２】
上記押上げ杆６２は、図８に示すように、例えば、５００ｍｍ程度の長さを有した円柱型パイプで構成するとともに、支柱１１の上側分割柱体１１Ｕの中空部１１Ａに上端部から差込み可能な外径で構成している。
【００６３】
押上げ杆調節固定ノブ６３は、支柱１１の上端部に取り付けられ、中空部１１Ａへ螺子込み可能に備えている。
【００６４】
押上げ杆調節固定ノブ６３を、支柱１１の中空部１１Ａにおいて上記押上げ杆６２へ側方から押し当てることにより、本体フレーム１４に対する上記押上げ杆６２を所定の高さ位置（上方への突き出し量）で固定（保持）することができる。
【００６５】
一方、上記第二高さ調節部６１Ｂは、上記押上げ杆６２の上部から突出した螺旋軸６４と、該螺旋軸６４に螺動可能に係合するとともに、上記天井押当て部材５１を下側から押し当て可能な押当て部６７を上端部に備えた高さ調節パイプ６５と、高さ調節パイプ６５を上方へ付勢すべく押上げ杆６２の上部と高さ調節パイプ６５との間に介在させた付勢バネ６６とで構成している。
【００６６】
上記高さ調節パイプ６５は、合成樹脂により筒状に形成し、その内周部に上記螺旋軸６４と螺合可能な螺子部６５ｂを形成しているため、押上げ杆６２の軸方向に沿ってナットのように螺動する。
【００６７】
さらに、高さ調節パイプ６５の外周部には、人が摘んで螺動可能に１８０°のなす角でそれぞれ半径方向外側へ突出した一対の摘み片部６５ａを形成している。
【００６８】
次に、上述した構成の猫用遊戯装置１０を、室内に設置する手順について説明する。  
猫用遊戯装置１０は、床面と天井との間での突張りにより設置することができる。このような突張り状態で設置するため、天井押当て部材５１を支柱１１に対して天井に押し当て可能な適切な高さに調節する。
【００６９】
詳しくは、まず支柱１１のベース板７１を部屋内の所望の設置箇所に設置する。  
なお、このとき、フランジ部３１には、支持台２１を取り付けた状態であってもなくてもいずれでも構わない。
【００７０】
天井押当て部材５１の第一の高さ調節として、支柱１１の上端に対して押上げ杆６２をそれぞれ天井に達するまで上方へスライドさせることにより、大まかな高さ調節を行う。
【００７１】
この第一の高さ調節により、天井押当て部材５１を天井に軽く押し当てることができるため、支柱１１が不測に転倒することを回避することができる。このように押上げ杆６２を上方へスライドさせればよいため、高さ調節すべき間隔（ストローク）が長い場合であっても、容易に高さ調節を行うことができる。
【００７２】
続いて、第二の高さ調節として、高さ調節パイプ６５を螺旋軸６４に対して螺動させることにより、より微妙（厳密）な高さ調節を行う。
【００７３】
この第二の高さ調節は、第一の高さ調節に比べて調節可能なストロークが短いが、微妙な調節が可能であるため、支柱１１を設置後にペットが使用してもガタつくことなく、また、天井に押し当て過ぎて天井材を破損することもなく、押当て部６７により天井押当て部材５１を押し上げることで適切な押し当て力で天井押当て部材５１を天井に押し当てることができる。
【００７４】
続いて、この支柱１１への支持台２１の取り付けについて図９を用いて説明する。  
なお、図９は、支柱１１に対して棚２１Ａを取り付ける手順を示す説明図であり、図９（ａ）は、支柱１１に対して棚２１Ａを差し込んで仮止めする様子を示し、図９（ｂ）は、締結ボルト３５により棚２１Ａをフランジ部３１に対して一体に締結する様子を示し、図９（ｃ１），（ｃ２）は、切欠き溝２４Ａに溝嵌め込み具４１を嵌め込む様子を示し、ている。
【００７５】
図９（ａ）に示すように、棚２１Ａを支柱１１の側へ移動させて棚２１Ａの切欠き溝２４Ａに支柱１１を側方から差し込むことにより、支柱１１が挿通許容孔２３Ａに配されるようフランジ部３１の上方において支柱１１に対して仮止めすることができる。
【００７６】
また、挿通許容孔２３Ａは、上述したように、棚２１Ａの重心位置から偏移した位置、詳しくは、楕円形状の長軸部分の一端側に形成しているため、棚２１Ａは、支柱１１に対して外側の一方向へ突出した差し込み形状となる（図９（ａ）中の仮想線で示した棚２１Ａ参照）。このため、支柱１１が挿通許容孔２３Ａに配された状態で棚２１Ａを支柱１１回りに棚２１Ａを回動させながら棚２１Ａの取り付け方向（支柱１１に対する突出方向）を決定することができる。
【００７７】
フランジ部３１には、周方向において連通孔３４を４５度ピッチで形成しているため、支持台２１をフランジ部３１に対して４５度ピッチの任意の取り付け方向で選択して取り付けることができる。
【００７８】
支持台２１を所望の取り付け方向で取り付けることを決定すると、締結ボルト３５によりフランジ部３１に対して支持台２１を一体に締結することでフランジ部３１に対して支持台２１を一体に取り付けることができる。
【００７９】
支持台２１が棚２１Ａである場合は、図９（ｂ）に示すように、締結ボルト３５をフランジ部３１の下側からフランジ部３１の連通孔３４、及び、棚２１Ａの螺旋穴２５Ａに対して差し込んで、これら棚２１Ａとフランジ部３１とを一体に締結することができる。
【００８０】
なお、支持台２１がハンモック型支持台２１Ｂの場合は、図５（ｂ）に示すように、締結ボルト３５をフランジ取付部２７の上方から該フランジ取付部２７の貫通孔２５Ｂ、及び、フランジ部３１の連通孔３４に対して差し込み、該締結ボルト３５に対して、フランジ部３１の下側からワッシャ８３を介してナット８４を取り付け、該締結ボルト３５とナット８４とでこれらフランジ取付部２７とフランジ部３１とを一体に締結している。
【００８１】
最後に、支持台２１が棚２１Ａである場合、図９（ｃ１），（ｃ２）に示すように、棚２１Ａに有する切欠き溝２４Ａに溝嵌め込み具４１を嵌め込む。このとき、溝嵌め込み具４１の下方から突出した係合突部４３は、フランジ部３１の連通孔３４に差し込まれ、該連通孔３４の周縁部に係合した状態で取りつけることができる。
【００８２】
切欠き溝２４Ａは、溝嵌め込み具４１により隠蔽されるため、棚２１Ａの表面に凹みがなく、見栄えのよい取り付け状態とすることができる。
【００８３】
このように支柱１１に対して複数の支持台２１を取り付けることにより、例えば、図１に示すように、支持台２１を高さが高くなるに連れ９０度ピッチずつずらした螺旋階段状に取り付けることができる。
【００８４】
上述した一連の取り付け作業において、支持台２１は、フランジ部３１に支持された状態となるため、棚２１Ａの荷重を受けずに棚２１Ａに軽く手を添える程度で棚２１Ａを支柱１１に取り付けたり、棚２１Ａの取り付け方向を変更することが容易にできる。
【００８５】
また、棚２１Ａのフランジ部３１に対する上述とは異なる取り付け手順について説明する。  
棚２１Ａを所望の取り付け方向で取り付けることを選択した後において、棚２１Ａをフランジ部３１に対して締結ボルト３５により締結する前に、溝嵌め込み具４１を切欠き溝２４Ａに嵌め込んでもよい。  
これにより、棚２１Ａをフランジ部３１に対して周方向において位置決めした状態で仮止めすることができ、締結ボルト３５で容易に本締めすることができる。
【００８６】
詳しくは、棚２１Ａの切欠き溝２４Ａに支柱１１の側方部分を差込んで、棚２１Ａがフランジ部３１に支持された状態としたとき、該棚２１Ａが支柱１１に対してフランジ部３１の周方向において僅かに位置ずれした差込状態ととなることがある。
【００８７】
この場合、フランジ部３１の連通孔３４と棚２１Ａの螺旋穴２５Ａとが周方向において一致せずに上下方向に真直ぐに連通しないため、締結ボルト３５を螺旋穴２５Ａに差し込むことが困難になる。
【００８８】
このため、締結ボルト３５を螺旋穴２５Ａに差し込む前に、図１０（ａ１）に示すように、上記溝嵌め込み具４１を、棚２１Ａに形成された切欠き溝２４Ａに嵌め込む。嵌込み具本体４２は、切欠き溝２４Ａの溝幅に嵌め込み可能であり、且つ、切欠き溝２４Ａの溝幅と略同じ幅で形成しているため、切欠き溝２４Ａに嵌め込んだとき、該切欠き溝２４Ａの幅方向の両側に当接した状態で嵌め込むことができる。
【００８９】
このため、フランジ部３１に対して棚２１Ａが周方向において僅かに位置ずれしている場合、上記溝嵌め込み具４１を、棚２１Ａに形成された切欠き溝２４Ａに嵌め込む際に、係合突部４３のテーパ状の先端部の一部分が連通孔３４の周縁部に対して過度に当接することになる（図１０（ａ１）の拡大図Ｘ参照）。
【００９０】
この当接により、上記溝嵌め込み具４１を切欠き溝２４Ａに嵌め込む力を、棚２１Ａを周方向へスライドさせる力へと変換することができる（図１０（ａ１）の拡大図Ｙ１、図１０（ｂ１）の拡大図Ｙ２参照）。
【００９１】
よって、図１０（ａ２）に示すように、上記溝嵌め込み具４１を切欠き溝２４Ａに嵌め込んで、係合突部４３が連通孔３４に差し込まれたとき、フランジ部３１に対する棚２１Ａの周方向への位置ずれを矯正することができ、図１０（ｂ２）に示すように、螺旋穴２５Ａと連通孔３４とが周方向において一致した状態となり、棚２１Ａを、フランジ部３１の周方向において位置決めすることができる。
【００９２】
よって、図１０（ｂ３）に示すように、締結ボルト３５を連通孔３４を通じて螺旋孔１３へ容易に差し込んでフランジ部３１と棚２１Ａとを一体に締結することができる。
【００９３】
なお、係合突部４３が連通孔３４に差し込まれたとき、該係合突部４３は、連通孔３４の周縁部分に係合した状態になるため、不測に上記溝嵌め込み具４１が切欠き溝２４Ａから取り外れることなく、強固に取り付けることができる。
【００９４】
上記猫用遊戯装置１０は、上述した効果にも、以下のような優れた効果を奏することができる。  
上記猫用遊戯装置１０は、上述したように、支柱１１に対する支持台２１の取り付け方向を任意に変更することができるため、図１に示したように支持台２１を螺旋階段状に取り付けるに限らず、様々な取り付け形態で取り付けることができる。
【００９５】
例えば、図１１、図１２に示すように、上記猫用遊戯装置１０は、支柱１１の周方向のおける一方向において支柱１１に対して各側に支持台２１を交互に配した状態で取り付けることができる。
【００９６】
また、上述したように、上記挿通許容孔２３Ａを上記支持台２１の重心位置よりも平面視側方へ偏移した位置、すなわち、平面視外周縁部分に形成することにより、支持台２１は、支柱１１が邪魔になることのないペットが載上し易い広い面を確保することができる。
【００９７】
また、猫用遊戯装置１０は、上記第一高さ調節部６１Ａと、上記第二高さ調節部６１Ｂとを備えているため、これらを用いて高さ調節を容易に行うことができる（図７参照）。
【００９８】
詳しくは、上記第一高さ調節部６１Ａを用いれば、例えば、高さ調節する距離（ストローク）が長い場合であっても、押上げ杆６２をスライドさせることにより一気に高さ調節を行なうことができる。  
さらにその後で、上記第二高さ調節部６１Ｂを用いれば、押当て部６７が上記天井押当て部材５１に押し当たった状態で螺旋軸６４に対して押上げ部材を螺動させて上記天井押当て部材５１を押し上げるなどすることで微妙な高さ調整を行うことができる。
【００９９】
以上により、猫用遊戯装置１０を、天井押当て部材５１を天井に押し当てて天井と接地面との間で突張った状態で、しっかりと設置することができる。
【０１００】
さらに、上記天井押当て部材５１は、第一高さ調節部６１Ａと第二高さ調節部６１Ｂとは別部材で独立した部材で構成しているため、支柱１１の上端部に有する天井押当て部材５１を支柱１１に対して容易に分離して取り外すことができ、屋内に設置する際や不使用時に収納する際に容易に分離してコンパクトな形態で収納することができる。
【０１０１】
上記構成により、ベース板７１を上記支柱１１に対して取り外し可能に構成し、上記支柱１１は、その長手方向において上側分割柱体１１Ｕと下側分割柱体１１Ｄとの２部材に分割可能に構成しているため、不使用時に邪魔にならずにコンパクトな形態とすることができ、場所を要さずに収納することができる。
【０１０２】
また、猫用遊戯装置は、上述した実施形態に限らず、様々な実施形態で構成することができる。  
例えば、棚は、上述したように平面視略正円をした楕円形状に限らず、図１４（ａ）に示す棚２１Ｃのように、平面視長方形状、図１４（ｂ）に示す棚２１Ｄのように、短軸に対して長軸が十分に長い（約二倍以上の長さである）平面視長方形状、図１４（ｃ）に示す棚２１Ｅのように、先端側に進むに連れ幅広となる平面視形状、図１４（ｄ）に示す棚２１Ｆのように、平面視楕円形状、図１４（ｅ）に示す棚２１Ｇのように、耳部を有する熊の頭部をした平面視形状など、様々な平面視形状で形成することができる。
【０１０３】
上述した実施形態と、この発明の構成との対応において、猫用遊戯装置１０は、ペット用遊戯装置に対応し、以下同様に、
挿通許容孔２３Ａ，２３Ｂは、挿通許容部に対応し、
螺旋穴２５Ａ、又は、貫通孔２５Ｂは、差込み孔に対応し、
締結ボルト３５は、締結手段に対応し、
高さ調節パイプ６５は、押上げ部材に対応し、
第一高さ調節部６１Ａは、第一高さ調節手段に対応し、
第二高さ調節部６１Ｂは、第二高さ調節手段に対応し、
押上げ杆調節固定ノブ６３は、押上げ杆固定部材に対応し、
ベース板７１は、設置台に対応するものとする。
【符号の説明】
【０１０４】
１０…猫用遊戯装置
１１…支柱
１１Ｕ…上側分割柱体
１１Ｄ…下側分割柱体
２１…支持台
２１Ａ…棚
２１Ｂ…ハンモック型支持台
２３Ａ，２３Ｂ…挿通許容孔
２４Ａ，２４Ｂ…切欠き溝
２５Ａ…螺旋穴
２５Ｂ…貫通孔
３１…フランジ部
３５…締結ボルト
３４…連通孔
４１…溝嵌め込み具
４３…係合突部
５１…天井押当て部材
６１Ａ…第一高さ調節部
６１Ｂ…第二高さ調節部
６２…押上げ杆
６３…押上げ杆調節固定ノブ
６４…螺旋軸
６５…高さ調節パイプ
６７…押当て部
７１…ベース板
【図１】
2011103797.tif 000003
【図２】
2011103797.tif 000004
【図３】
2011103797.tif 000005
【図４】
2011103797.tif 000006
【図５】
2011103797.tif 000007
【図６】
2011103797.tif 000008
【図７】
2011103797.tif 000009
【図８】
2011103797.tif 000010
【図９】
2011103797.tif 000011
【図１０】
2011103797.tif 000012
【図１１】
2011103797.tif 000013
【図１２】
2011103797.tif 000014
【図１３】
2011103797.tif 000015
【図１４】
2011103797.tif 000016